(57)【要約】【課題】  株式上場企業の業績予想(会社発表の実績及び予想、各アナリストの業績予想、各アナリスト予想を平均したコンセンサスグラフ)をビジュアルに表示してＷｅｂ画面上で判り易いように図式化して表示する。【解決手段】  証券会社１からアナリストの予想を含むレポート情報を取得して時系列的にデータベース４に蓄積する手段と、この蓄積したレポート情報について、グラフ作成、データベース４へのクエリ発行、ユーザ６からのリクエストの受付処理するアプリケーション３と、公衆通信回線５を利用してアプリケーション３にアクセスして所望のレポート情報を取得するユーザ端末６を備え、ユーザ端末６においてレポート情報の描画処理を行い、ユーザ端末６のＷｅｂ画面に、レポート情報の選択された項目に基づくデータをグラフ表示すると共に、このＷｅｂ画面に複数人のアナリストの予想を表示マークで表示する。【選択図】  図１
2006350484.tif 000002
【特許請求の範囲】
【請求項１】
証券会社（１）からアナリストの予想を含むレポート情報を取得して時系列的にデータベース（４）に蓄積する手段と、
この蓄積したレポート情報について、グラフ作成、前記データベース（４）へのクエリ発行、ユーザ（６）からのリクエストの受付処理するアプリケーション（３）と、
公衆通信回線（５）を利用して前記アプリケーション（３）にアクセスして所望のレポート情報を取得するユーザ端末（６）を備え、
前記ユーザ端末（６）のＷｅｂ画面に、前記レポート情報の選択された項目に基づくデータをグラフ表示すると共に、このＷｅｂ画面に複数人のアナリストの予想を表示マークで表示するようにした、ことを特徴とする各種予想及び各種コンセンサスグラフの表示方法。
【請求項２】
前記Ｗｅｂ画面の横軸を時間軸としてアナリストの予想の表示マークを時間の経過に従って時系列表示すると共に各アナリスト予想を平均した数値(コンセンサス)をグラフとして業績予想等について表示するようにした、ことを特徴とする請求項１の各種予想及び各種コンセンサスグラフの表示方法。
【請求項３】
アナリストの予想の表示マークは、「上方修正」、「下方修正」、「変わらず」その他の要素毎に記号化されている、ことを特徴とする請求項１又は２の各種予想及び各種コンセンサスグラフの表示方法。
【請求項４】
「上方修正」、「下方修正」、「変わらず」その他の要素毎に記号化された表示マークは、それぞれ異なる色により表示した、ことを特徴とする請求項３の各種予想及び各種コンセンサスグラフの表示方法。
【請求項５】
前記Ｗｅｂ画面は、業績予想等を表示する際に、異なる項目に基づくデータをグラフ表示した二画面表示である、ことを特徴とする請求項１、又は３の各種予想及び各種コンセンサスグラフの表示方法。
【請求項６】
各種アナリスト予想と各種コンセンサスグラフと会社発表実績及び予想との乖離などを簡便に表示する、ことを特徴とする請求項１の各種予想及び各種コンセンサスグラフの表示方法。
【発明の詳細な説明】
【技術分野】
【０００１】
本発明は、株式上場企業の業績予想などをビジュアルに表示して画面上で判り易いように図式化して表示するようにした各種予想及び各種コンセンサスグラフの表示方法に関するものである。
【背景技術】
【０００２】
従来より、株式上場企業の業績予想は、会社四季報等による四半期毎の文書情報などの手段により行われているものであった。近年のインターネットの発達によりＷｅｂサービスによるアナリストのレポートを含む情報を提供することも行われている。
【０００３】
例えば特許文献１の「情報表示方法及び情報表示システム」のように、実際の証券情報に基づいたファンドの運用状況や利用者の好みに応じたファンドの擬似運用評価を表示し、有効な投資判断情報を提供することができる投資信託（ファンド）情報を表示する情報表示システム及び情報表示装置が提案されている。
【特許文献１】特開２００１−２８３０００
【発明の開示】
【発明が解決しようとする課題】
【０００４】
しかし、従来の情報提供方法によっては、企業の業績のトレンドを把握しにくく、ビジュアル化においても判り易いものではなく、画面表示も例えば売上高の変位を示すような一画面であり、各種アナリスト予想及び各種コンセンサスグラフによる予想と会社発表の実績及び予想との乖離を表示する等の配慮もなされていないという問題を有していた。
【０００５】
本発明は、かかる問題点を解決するために創案されたものである。すなわち、本発明の目的は、株式上場企業の業績予想(会社発表の実績及び予想、各アナリストの業績予想、各アナリスト予想を平均したコンセンサスグラフ)をビジュアルに表示して画面上で判り易いように図式化して表示することができる各種予想及び各種コンセンサスグラフの表示方法を提供することにある。
【課題を解決するための手段】
【０００６】
請求項１記載の発明は、証券会社（１）からアナリストの予想を含むレポート情報を取得して時系列的にデータベース（４）に蓄積する手段と、この蓄積したレポート情報について、グラフ作成、前記データベース（４）へのクエリ発行、ユーザ（６）からのリクエストの受付処理するアプリケーション（３）と、公衆通信回線（５）を利用して前記アプリケーション（３）にアクセスして所望のレポート情報を取得するユーザ端末（６）を備え、前記ユーザ端末（６）において前記レポート情報の描画処理を行い、前記ユーザ端末（６）のＷｅｂ画面に、前記レポート情報の選択された項目に基づくデータをグラフ表示すると共に、このＷｅｂ画面に複数人のアナリストの予想を表示マークで表示するようにした表示方法である。
【０００７】
請求項２記載の発明は、前記Ｗｅｂ画面の横軸を時間軸としてアナリストの予想の表示マークを時間の経過に従って時系列表示すると共に各アナリスト予想を平均した数値(コンセンサス)をグラフとして業績予想等について表示するようにしたものである。
請求項３記載の発明は、アナリスト予想の表示マークは、「上方修正」、「下方修正」、「変わらず」その他の要素毎に記号化されている。
請求項４記載の発明は、コンセンサスグラフと各アナリスト予想を「上方修正」、「下方修正」、「変わらず」その他の要素毎に記号化された表示マークは、それぞれ異なる色により表示した。
請求項５記載の発明は、前記Ｗｅｂ画面は、業績予想等を表示する際に、異なる項目に基づくデータをグラフ表示した二画面表示である。
請求項６記載の発明は、各種アナリスト予想と各種コンセンサスグラフと会社発表実績及び予想との乖離などを簡便に表示する。
【発明の効果】
【０００８】
請求項１記載の発明は、Ｗｅｂ画面に複数のアナリスト予想をレポート情報の選択された項目に基づくデータと共に、表示マークで表示しているため、簡易な各種予想が可能になる。
請求項２記載の発明は、アナリスト予想の表示マークを時間の経過にしたがって時系列表示するため、トレンドを把握し易い。
請求項３記載の発明は、アナリスト予想の表示マークは、「上方修正」、「下方修正」、「変わらず」その他の要素毎に記号化されているため、一目でその傾向を把握することができる。
請求項４記載の発明は、「上方修正」、「下方修正」、「変わらず」その他の要素毎に記号化された表示マークは、それぞれ異なる色により表示したので、表示マークの認識をより一層簡単に行うことができる。
請求項５記載の発明は、Ｗｅｂ画面は、異なる項目に基づくデータをグラフ表示した二画面表示であるため、一つのＷｅｂ画面で複数のデータ表示を行うことができ業績予想の精度向上を可能にする。
請求項６記載の発明は、各種アナリスト予想と各種コンセンサスグラフと会社発表実績及び予想との乖離が表示可能となるため、会社発表予想や業績修正の株価インパクトを予測するのに有益である。
【発明を実施するための最良の形態】
【０００９】
本発明は、証券会社からアナリストの予想を含むレポート情報を取得して、ユーザ端末のＷｅｂ画面に、レポート情報の選択された項目に基づくデータをグラフ表示すると共に、このＷｅｂ画面に複数人のアナリストの予想を表示マークで表示するようにしたものである。
【実施例１】
【００１０】
以下、本発明の好ましい実施の形態を図面を参照して説明する。
図１は本発明の実施例１の各種予想及び各種コンセンサスグラフの表示方法によりＷｅｂ画面を表示する前提となるシステムとその表示をするための処理手順を示すブロック図である。
図１に示すものは、Ｗｅｂ画面を表示する前提となるシステムであり、多数の証券会社１からアナリストの予想を含むレポート情報が入力システム２に与えられる。この入力システム２においては、各種予想のデータと変化状況を入力する。この入力データをデータベース４に蓄積する。アプリケーション３は、蓄積したレポート情報について描画作成、データベース４へのクエリ発行、ユーザ６からのリクエストの受付処理等をするアプリケーションである。
【００１１】
ユーザ６のユーザ端末からは、公衆の通信回線５を介して表示したいデータの項目を指定する。すなわち、銘柄コード、決算期、連結決算と単独決算（連単）、本決算と中間決算及び四半期開示区分（本中四半期区分）などのキー項目として選択が可能になっている。アプリケーション３において、その指定項目を元にデータベース４から該当データを抽出し、グラフ化する。
【００１２】
図２はグラフを作成するための作成手順を示す項目である。図３は各アナリスト予想データの一例である。図４は会社予想データの一例である。図５はコンセンサスデータの一例である。
証券会社１と入力システム２との間の情報授受処理の一例は、図１と図２に基づいて説明する。先ず、「ステップ１」では、表示項目を指定する。
ユーザ６が表示したい項目をリクエストする。このリクエストに基づき、サーバ側で抽出データを定義する。リクエストする主キー項目、銘柄コード、決算期、連結決算と単独決算（連単）、本決算と中間決算及び四半期開示区分（本中四半期区分）、表示期間、表示予想値の種類である。
【００１３】
「ステップ２」では、データベース４からデータを抽出する。即ち、上記のルールで抽出したデータを表示期間の範囲でデータをアナリスト予想データ、会社予想データ、コンセンサスデータごとに抽出する。
該当する主キー項目のデータを、表示期間の範囲でデータベース４から抽出する。
抽出したデータは、アナリスト予想データ、会社予想データ及びコンセンサスデータがある。アナリスト予想データ、会社予想データのデータ項目は、該当する予想値、変化フラグ、最新フラグである。コンセンサスデータのデータ項目は、データ日、該当する予想値のコンセンサス値である。
更に、付随するデータを抽出する。該当する期間における予想値のＭＡＸ値とＭＩＮ値を抽出する。
【００１４】
「ステップ３」では、描画、後述する図６に示すようなグラフを作成する。即ち、アナリスト予想データを描画する。このグラフにおいて、横軸に日付(レポート日)を、縦軸に予想値を設定（ＭＡＸ値〜ＭＩＮ値）して表示する。                    
データをプロットするときは、表１のような規則に従って記入する。プロットは、この表１のように変化フラグによって形が変わるようになっている。また、最新のものは数値の変化によって色に変化をつける。
【００１５】
【表１】
2006350484.tif 000003
【００１６】
会社予想を描画するときの描画方法はアナリスト予想と同様である。ただし、最新値の色は「変化の種類」の違いに左右されず1色とする。
プロットはデータをプロットするときは、表２のような規則に従って記入する。    
【００１７】
【表２】
2006350484.tif 000004
【００１８】
コンセンサスデータを描画するときは、図６に示すように、コンセンサスデータを時系列にグラフ化する。
【００１９】
最後に「ステップ４」では、上記のように作成したグラフを各ユーザ端末６に配信する。
【００２０】
図７はＡ社の「経常利益」予想を表示したＷｅｂ画面である。図８はその後のＡ社の「経常利益」予想を表示したＷｅｂ画面である。
このようにして、情報提供会社においては、各種の情報が整理されて時系列的に保存されているが、この情報提供会社と会員契約しているユーザは、自らのユーザ端末６により随時アクセスすることができる。まず、情報提供会社にアクセスすると、トップページが表示される。そこで、ログイン名、パスワードを入力することによりメニューが表示されるので、「Ｃｏｎｓｅｎｓｕｓ」、「Ｌａｔｅｓｔ」、「Ｏｖｅｒｖｉｅｗ」、「Ｓｕｒｐｒｉｓｅｓ」、「Ｒｅｖｉｓｉｏｎ」、「Ｍｙ  Ｒｏｏｍ」等のいずれかの頁を選択する。例えば、「Ａ社」を指定し、画面左側の決算期を「２００５年０３月」とし右側の決算期を「２００６年０３月」と指定し、項目（売上高、営業利益、経常利益、当期利益、ＥＰＳ（レポート）、ＥＰＳ（ＮＰ／株数）等から「経常利益」を指定し、期間（通期、上半期、四半期）を「通期」と指定し、ＡＣ（自動・連結・単独）を「自動」と指定すると、Ａ社の６月下旬・年間（１２ヶ月）グラフとしての「Ｃｏｎｓｅｎｓｕｓ」のＷｅｂ画面は、図７に示す状態になる。このＷｅｂ画面は、二画面表示であり、左側は「２００５年０３月」の「経常利益」であり、右側は、「２００６年０３月」の「経常利益」の表示となる。
【００２１】
そこで、このＷｅｂ画面で特徴的なところは、▲、▼、■、●等の記号化された表記がコンセンサスグラフ（アナリスト予想を平均したコンセンサスグラフ）と共に、表示されている点である。これらの記号化された表記の内容は、表１と表２に示した通りである。
【００２２】
ここで、色分けされた▲（青）、▼（赤）、■（黄）、●（緑）は、アナリストに係わるものであり、複数の証券会社がレポートを書いている場合には、それらが複数表記される。▲（青）は、前回予想より上げた予想であり、▼（赤）は、前回予想より下げた予想であり、■（黄）は、前回予想と変わらない予想である。また、●（緑）は、新規に調査対象とした銘柄の予想である。さらに、▲１、▼１、■１、●１等の記号化された表記が「褐色」で表示されたものは、上場会社発表の業績予想である。△１、▽１、□１、○１ヒストリーなる表記は、過去の予想数値を表示しているものである。
【００２３】
そこで、図７においては、経常利益について２００４年５月下旬に複数の証券会社のアナリストが▲（青）を付けており、これは、▲（青）の表示が時間の経過と共に増加すると今後さらに業績予想が上方修正される可能性が高いことを示唆しているものである。そして、図７と同様な条件で表示したＡ社の８月末日・半年（６ヶ月）グラフは、図８として示されているが、図7の▲（青）で予期されたように実際会社業績は上方修正され、会社発表を受けて更にアナリストは、業績予想を上方修正したことを表している。
【００２４】
このようなＷｅｂ画面を見るときの留意点としては、いくつかのポイントがある。まず、アナリストの傾向性は、次の通りである。アナリストが予想利益を修正する場合、他社のアナリストと同一方向に予想する傾向があり、その結果利益修正は、長期にわたって同一方向に連続する事が多い。市場参加者、特に機関投資家は、アナリストが予想利益を大幅に修正しても他のアナリストが追随しなければ、そのアナリストの分析が正しいかどうか疑う可能性があるため、アナリストとしてはどうしても修正を小幅にする傾向が強くなる。また、短期間で見方を変えるアナリストは、機関投資家から信頼を失う事になりかねず、一度予想利益を上方修正したら、余程の事がない限り下方修正はしないものである。したがってアナリストは、一旦予想を変更したら３ヶ月程度は見解を変えないのが一般的である。そのため、アナリストが当月予想利益を上方修正すれば、翌月も上方修正する公算が大きくなる。
【００２５】
また、機関投資家の投資行動の傾向は、一般的に次の通りである。即ち企業や証券会社のアナリストの予想利益の修正に対する機関投資家の反応は、その修正が正しいかどうかの判断を下すために自社の調査部で、確認する等の要因もあり、少し遅れる傾向がある。また、株価の動向に関しては、上方修正銘柄の株価は、長らく上方修正を繰り返すと、今後も更に上方修正が行われると市場参加者が予想するため、株価の反応は次第に鈍くなる傾向が現れる。
【００２６】
このような傾向を前提にＷｅｂ画面を見た場合、コンセンサスグラフと共に▲、▼、■、●等の記号化されたアナリスト予想が色分けして表示されているため、予想の傾向性や散らばり具合がきわめて見やすいので、投資判断の参考としやすい。すなわち、Ｗｅｂ画面に複数の証券会社のアナリスト予想を選択された項目に基づくデータとして、表示マークで表示しているため、簡易な業績予測が可能になります。また、アナリストの予想の表示マークを時間の経過にしたがって時系列表示するため、トレンドを把握し易く、さらにアナリストの予想の表示マークは、「上方修正」、「下方修正」、「変わらず」その他の要素毎に記号化されているため、一目でその傾向を把握することができ、「上方修正」、「下方修正」、「変わらず」、その他の要素毎に記号化された表示マークはそれぞれ異なる色により表示したので、表示マークの認識をより一層簡単に行うことができる。また、Ｗｅｂ画面は、異なる項目に基づくデータをグラフ表示した二画面表示であるため、一つのＷｅｂ画面で複数のデータ表示を行うことができる。
【００２７】
図９はＢ社の「経常利益」予想を表示したＷｅｂ画面である。図１０はその後のＢ社の「経常利益」予想を表示したＷｅｂ画面である。
次に、上述した図７、図８に示したＡ社のＷｅｂ画面と同様な表示をしたＢ社の例を図９、図１０に示す。
図９においては、▼（赤）が出始めており、業績予想が下方修正される可能性を示唆している。次いで、図１０においては、▼（赤）が増加して企業の業績予想が下方修正される可能性が一段と高まったことを示している。
【００２８】
なお、前述のいずれのＷｅｂ画面においても、項目として「Ｌａｔｅｓｔ」を選択することにより、個々のアナリスト予想とアナリストコンセンサスとの乖離が表示されるので、個々の予想とコンセンサスの比較を数字で容易に行うこともできる。
【００２９】
なお、本発明は上述した発明の実施の形態に限定されず、証券会社１からアナリストの予想を含むレポート情報を取得して、ユーザ端末６のＷｅｂ画面に、レポート情報の選択された項目に基づくデータをグラフ表示すると共に、このＷｅｂ画面に複数人のアナリストの予想を表示マークで表示する方法であれば、図示したような方法に限定されず、本発明の要旨を逸脱しない範囲で種々変更できることは勿論である。
【産業上の利用可能性】
【００３０】
本発明の各種予想及び各種コンセンサスグラフの表示方法は、株式上場企業の業績予想をビジュアル表示して利用するだけでなく、その他の業績予想に利用することができる。
【図面の簡単な説明】
【００３１】
【図１】本発明の実施例１の各種予想及び各種コンセンサスグラフの表示方法によりＷｅｂ画面を表示する前提となるシステムとその表示をするための処理手順を示すブロック図である。
【図２】グラフを作成するための作成手順を示す項目である。
【図３】各アナリスト予想データの一例である。
【図４】会社予想データの一例である。
【図５】コンセンサスデータの一例である。
【図６】コンセンサスデータ等をグラフである。
【図７】Ａ社の「経常利益」予想を表示したＷｅｂ画面である。
【図８】その後のＡ社の「経常利益」予想を表示したＷｅｂ画面である。
【図９】Ｂ社の「経常利益」予想を表示したＷｅｂ画面である。
【図１０】その後のＢ社の「経常利益」予想を表示したＷｅｂ画面である。
【符号の説明】
【００３２】
１  証券会社
２  入力システム
３  アプリケーション
４  データベース
５  通信回線
６  ユーザ端末（ユーザ）
【図１】
2006350484.tif 000005
【図２】
2006350484.tif 000006
【図３】
2006350484.tif 000007
【図４】
2006350484.tif 000008
【図５】
2006350484.tif 000009
【図６】
2006350484.tif 000010
【図７】
2006350484.tif 000011
【図８】
2006350484.tif 000012
【図９】
2006350484.tif 000013
【図１０】
2006350484.tif 000014